(57)【要約】      （修正有）【課題】建造物の窓やドア等の開口部分に設置される複層板ガラスの構造を提供する。【解決手段】屋外側となる第一の板ガラス２の屋内方向側となる面に室内側となり、第一のガラス板２よりサイズの小さい第二の板ガラス３を、その第二の板ガラス３の周縁に沿うスペーサ４を介して封着材６によって気密に重合固定し、且つ、第一のガラス板２の周縁は、第二のガラス板３の周縁より突出した構成とする。【選択図】図３
0003221503.tif 000002
【実用新案登録請求の範囲】
【請求項１】
屋外側となる第一の板ガラスの屋内方向側となる面に室内側となり、第一のガラス板よりサイズの小さい第二の板ガラスを、その第二の板ガラスの周縁に沿うスペーサを介して封着材によって気密に重合固定し、且つ、前記した第一のガラス板の周縁は、第二のガラス板の周縁より突出した構成としてあることを特徴とする複層板ガラス構造。
【請求項２】
前記したスペーサは第一と第二の板ガラス間の距離寸法を保持する幅を有するパイプ体とし、そのパイプ中に吸湿剤を充填してあることを特徴とする請求項１に記載の複層板ガラスの構造。
【請求項３】
前記した第一の板ガラスと第二の板ガラスで形成される中空部にはアルゴンガスもしくはクリプトンガスが封入されていることを特徴とする請求項１または請求項２に記載の複層板ガラスの構造。
【請求項４】
前記した第二の板ガラスの下端部分にはアングル材を付設してあることを特徴とする請求項１から３のうち１項に記載の複層板ガラスの構造。
【請求項５】
前記した第一の板ガラスの周縁と第二の板ガラスの周縁との距離幅は少なくとも５ｍｍ以上としたことを特徴とする請求項１から４のうち１項に記載の複層板ガラスの構造。
【考案の詳細な説明】
【技術分野】
【０００１】
本考案は建築物、建造物の窓やドア等の開口部分に設置される複層板ガラスの構造に関する。
【背景技術】
【０００２】
従来より、建築物、建造物の開口部、特に窓には断熱や放熱防止、防音、その他セキュリティ等の目的から板ガラスを二枚積層した複層板ガラスが設置されることが知られている。しかしながら、この複層板ガラスの設置は、その多くがリフォームとして、既存の窓枠に取り付けられている板ガラスの屋内側に、後付けとして取り付けられ、その作業の結果として複層板ガラスの構造を形成することとなるものである。
【０００３】
しかしながら、この現状にあっては、後付けとして屋内側ガラスを既存の板ガラスに重ねるについて、既存のフレーム（窓にあってはサッシ）をそのまま使用することとなり、即ち、既存の板ガラスを取り外すことはないため、種々の設置要素、部材を必要とし、作業時間も要することとなり、その作業も熟練した技術が要求されることとなる。
【０００４】
また、高層建築物であるビルディングやマンションにあって、後付けガラスのサイズ、重量によっては、高層階までエレベータを使用して搬送することは困難で、クレーンを使用しても屋内外にその後付け用ガラスを搬入することも困難なこととなってしまう。
【０００５】
さらに、この後付けの複層板ガラスの構造にあっては建築物、構造物のコーナー部分に対しては施工が不可であり、加えて突き合せも不可であるため、部分的に、複層構造とすることができない箇所が生じることとなる。
【先行技術文献】
【特許文献】
【０００６】
出願人は、本願考案について、先行する技術文献を調査したが、格別に本願考案と関連し、類似していると思われる文献は発見することができなかった。
【考案の概要】
【考案が解決しようとする課題】
【０００７】
本願考案が解決しようとする問題点は、従来の複層板ガラスの構造は、リフォーム等の場合に、既設の板ガラスの屋内側に後付けとして新規な板ガラスを積層させるものであり、特に建築物、建造物のコーナー部分に対する施工は不可となっており、後付け用の板ガラスはそのサイズや重量によってエレベータによる搬送が不可となってしまい、高層の建築物の場合、施工できる階にも限度が生じてしまうという点である。
【課題を解決するための手段】
【０００８】
上記した問題点を解決するために、本考案に係る複層板ガラスの構造は、屋外側となる第一の板ガラスの屋内方向側となる面に室内側となり、第一のガラス板よりサイズの小さい第二の板ガラスを、その第二の板ガラスの周縁に沿うスペーサを介して封着材によって気密に重合固定し、且つ、前記した第一のガラス板の周縁は、第二のガラス板の周縁より突出した構成としてあることを特徴としている。
【０００９】
また、本考案に係る複層板ガラスの構造は、前記したスペーサは第一と第二の板ガラス間の距離寸法を保持する幅を有するパイプ体とし、そのパイプ中に吸湿剤を充填してあることを特徴としている。
【００１０】
さらに、本考案に係る複層板ガラスの構造は、前記した第一の板ガラスと第二の板ガラスで形成される中空部にはアルゴンガスもしくはクリプトンガスが封入されていることを特徴としている。
【００１１】
そして、本考案に係る複層板ガラスの構造は、前記した第二の板ガラスの下端部分にはアングル材を付設してあることを特徴としている。
【００１２】
また、本考案に係る複層板ガラスの構造は、前記した第一の板ガラスの周縁と第二の板ガラスの周縁との距離幅は少なくとも５ｍｍ以上としたことを特徴としている。
【考案の効果】
【００１３】
本考案に係る複層板ガラスの構造は、上記したように構成されている。このように、本考案に係る複層板ガラスの構造は施工前に製造されており、現場での作業は、この予め形成されている複層板ガラスをフレームに装着すること、もしくは、予め、フレームに装着された状態ならば、そのフレームは所定位置にセットすることとなる。
【００１４】
そのため、建築物、建造物のコーナーパートについても予め、所定のものを製造準備することができ、種々の装着要求にも対応することができるもので、建築物、建造物の開口部分のみならず、ベランダのガードとしても採用でき、バックマリオン構造にも対応することができるもので、板ガラスの厚さも必要に応じて１２ｍｍ以上の高層用耐風圧処理仕上げのものにも対処することができる。
【００１５】
この複層板ガラスの構造は、特に新築や改築（リビルド）に効を奏するものであるが、高層の建築物、建造物に限らず、戸建ての住宅等にも当然に対応することができる。
【図面の簡単な説明】
【００１６】
【図１】本考案を実施した複層板ガラスの構造を示す正面図である。
【図２】同じく一部を破断した斜視図である。
【図３】部分断面として示す斜視図である。
【図４】アングル材を付設した状態を示す部分断面図である。
【考案を実施するための形態】
【００１７】
図面として示し、実施例で説明したように構成したことで実現した。
【実施例１】
【００１８】
次に、本考案の好ましい実施の一例を図面を参照して説明する。図中１は本考案を実施した複層板ガラスを示している。この複層板ガラス１は、屋外側となり、フレームに嵌入装着される矩形をした第一の板ガラス２を有している。この第一の板ガラス２の厚さは１０ｍｍ程度以下を想定するが、必要に応じて高層用の耐風圧仕上げの１２ｍｍ程度のものとすることもできる。
【００１９】
この第一の板ガラス２の一方側の面、即ち、屋内側となる面には、この第一の板ガラス２よりもサイズの小さい矩形の第二の板ガラス３が備えられており、この第二の板ガラス３は、第一の板ガラス２の四辺の周縁を、この第二の板ガラス３の周縁よりも突出させて備えられている。実施例にあって第二の板ガラス３は第一の板ガラス２と相似形とされているもので、この第二の板ガラス３の周縁から第一の板ガラス２の周縁までの距離は同一とされる。この第二の板ガラス３は第一の板ガラス２の隅部分に片寄せられて備えられるものではない。この第二の板ガラス３として、防火対策の為、網入りガラスでもよい。
【００２０】
この第二の板ガラス３は第一の板ガラス２と所定の間隔をもって備えられるもので、この間隔を保持するために、第二の板ガラス３の周縁域には、その周縁に沿った枠状のスペーサ４が介在される。このスペーサ４は中空としたアルミニウム製のもので、少なくとも第二の板ガラス３と第一の板ガラス２との所定の間隔を保持するための幅を有している。さらに、好ましくはスペーサ４を形成するアルミニウムには防錆処理が施されていることが望ましい。
【００２１】
また、前記したスペーサ４の中空内には吸湿剤５が充填収納されており、積極的に湿気を除去してやることで、第一の板ガラス２と第二の板ガラス３の対向面に生じる結露の発生を未然に防止している。
【００２２】
さらに、このスペーサ４と第一の板ガラス２及び第二の板ガラス３との間は封着剤６によって気密に重合固定されている。この封着剤６として想定しているのはシリコーンゴムであり、このシリコーンゴムは耐熱性、耐寒性、耐油性、耐オゾン性の他、電気絶縁性にも優れているので、環境の良好性を保持することができる。また、必要とあれば、ガスケットを付加させておくことも可能である。
【００２３】
そして、第二の板ガラス３の内面には、熱放射を減少させる、熱放射防止フィルム７を貼装しておくことも可能であり、このフィルム７を付加することで、一層と屋内の熱の外気への漏れを防ぎ、外部から太陽光による熱の侵入を防止することができる。
【００２４】
また、この複層ガラス１の断熱性を一層向上させるため、第一の板ガラス２と第二の板ガラス３によって形成される中空層８内にアルゴンガスやクリプトンガスを封入させておくこともできる。これらのガスは断熱性の他、アルゴンガスは不活性であり、圧力によって赤色、さらに減圧で青色の輝線スペクトルを、クリプトンガスの場合は紫色部に輝線スペクトルを示す特性があり、場合によって一種の装飾効果も発揮することとなる。
【００２５】
さらに、後付け施工の場合、第二の板ガラス３の下縁には、その自重を受けて支承する受座を配置するが、本願の場合、既製品として製作するので、当初より、この第二の板ガラス３の下縁に自重を支承するためのアングル材９を配置付加しておくこともできる。
【産業上の利用可能性】
【００２６】
本実施例に係る複層板ガラスの構造は上記のように構成されている。本実施例では、第一及び第二の板ガラスは矩形のものとしているが、本考案はこれに限定されるものではなく、円形やオーバル形、その他の形状をした板ガラスにも適用できるものであり、設置場所も窓やドア等の建築物、建造物の開口のみならず、ベランダのガードや天井の明かり取り部分、浴室の壁面等にも広く応用して取り付けることができる。
【符号の説明】
【００２７】
１    複層板ガラス
２    第一の板ガラス
３    第二の板ガラス
４    スペーサ
５    吸湿剤
６    封着剤
７    放熱防止用フィルム
８    中空層
９    アングル材
【図１】
0003221503.tif 000003
【図２】
0003221503.tif 000004
【図３】
0003221503.tif 000005
【図４】
0003221503.tif 000006